(57)【特許請求の範囲】
【請求項１】
プレキャストコンクリートパネルを用いた建物の非耐力壁の施工方法において、
建物躯体に建て込まれたときに上辺をなす一辺から、前記建物躯体に建て込まれたときに上方となる方向へ、複数のアンカー筋が突出した壁用プレキャストコンクリートパネルを製作し、
前記建物躯体の骨組の建て方を行い、
前記壁用プレキャストコンクリートパネルの前記複数のアンカー筋を、コンクリートを打設する前の前記建物躯体の骨組に結合することにより、前記壁用プレキャストコンクリートパネルの上辺を前記建物躯体の骨組に定着する一方で、前記壁用プレキャストコンクリートパネルの上辺以外の他辺は前記建物躯体の骨組に定着することなく、前記壁用プレキャストコンクリートパネルを前記建物躯体の骨組に組み付け、
しかる後に、前記建物躯体の骨組にコンクリートを打設する、
ことを特徴とするプレキャストコンクリートパネルを用いた建物の非耐力壁の施工方法。
【請求項２】
前記建物躯体の骨組は、鉄骨及び／または鉄筋を備えた梁を含んでおり、前記壁用プレキャストコンクリートパネルの前記複数のアンカー筋を前記建物躯体の梁の鉄骨及び／または鉄筋に結合することを特徴とする請求項１記載のプレキャストコンクリートパネルを用いた建物の非耐力壁の施工方法。
【請求項３】
前記建物躯体の骨組は、鉄骨及び／または鉄筋を備えた床スラブを含んでおり、前記壁用プレキャストコンクリートパネルの前記複数のアンカー筋を前記建物躯体の床スラブの鉄骨及び／または鉄筋に結合することを特徴とする請求項１記載のプレキャストコンクリートパネルを用いた建物の非耐力壁の施工方法。
【発明の詳細な説明】
【０００１】
【発明の属する技術分野】
本発明はプレキャストコンクリートパネルを用いた建物の非耐力壁の施工方法に関するものである。
【０００２】
【従来の技術】
鉄筋コンクリート（ＲＣ）造や鉄骨・鉄筋コンクリート（ＳＲＣ）造の建物において、例えば、共同住宅などにおける耐力壁以外の間仕切り壁等の雑壁としては、耐震スリット付きのＲＣ壁や、ファスナーにより固定する後付けプレキャストコンクリート（ＰＣ）壁が用いられ、主構造部に悪影響を与えず、また、地震時にも出入り口のスチールドアの開閉が可能となるようにしている。
【０００３】
【発明が解決しようとする課題】
しかし、従来のような耐震スリット付きのＲＣ壁やファスナー固定の後付けＰＣ壁による雑壁では、施工が煩雑となり、耐震スリット材やＰＣのファスナーは材料的に高く、施工コストがかさみ、これらの取り付けなどで躯体工程が長くなるなどの問題があった。
【０００４】
本発明は前記事情に鑑み案出されたものであって、雑壁などの非耐力壁を、建物躯体工事時において、簡易に、かつ、コンクリート打設により同時に施工できるＰＣパネルを用いた建物の非耐力壁の施工方法を提供することを目的とするものである。
【０００５】
【課題を解決するための手段】
前記目的を達成するため本発明に係るプレキャストコンクリートパネルを用いた建物の非耐力壁の施工方法は、建物躯体に建て込まれたときに上辺をなす一辺から、前記建物躯体に建て込まれたときに上方となる方向へ、複数のアンカー筋が突出した壁用プレキャストコンクリートパネルを製作し、前記建物躯体の骨組の建て方を行い、前記壁用プレキャストコンクリートパネルの前記複数のアンカー筋を、コンクリートを打設する前の前記建物躯体の骨組に結合することにより、前記壁用プレキャストコンクリートパネルの上辺を前記建物躯体の骨組に定着する一方で、前記壁用プレキャストコンクリートパネルの上辺以外の他辺は前記建物躯体の骨組に定着することなく、前記壁用プレキャストコンクリートパネルを前記建物躯体の骨組に組み付け、しかる後に、前記建物躯体の骨組にコンクリートを打設することを特徴とする。
また、本発明は、前記建物躯体の骨組が、鉄骨及び／または鉄筋を備えた梁を含んでおり、前記壁用プレキャストコンクリートパネルの前記複数のアンカー筋を前記建物躯体の梁の鉄骨及び／または鉄筋に結合することを特徴とする。
また、本発明は、前記建物躯体の骨組が、鉄骨及び／または鉄筋を備えた床スラブを含んでおり、前記壁用プレキャストコンクリートパネルの前記複数のアンカー筋を前記建物躯体の床スラブの鉄骨及び／または鉄筋に結合することを特徴とする。
【０００６】
本発明に係るプレキャストコンクリートパネルを用いた建物の非耐力壁の施工方法によれば、壁用プレキャストコンクリートパネルの上辺から上方へ突出した複数のアンカー筋を、コンクリートを打設する前のＲＣ造（またはＳＲＣ造）建物躯体の骨組に結合することによって、壁用プレキャストコンクリートパネルの上辺のみを骨組に定着し、しかる後に骨組にコンクリートを打設する。
そのため、建物躯体工事時において、雑壁などの非耐力壁を、プレキャストコンクリートパネルを用いて簡易に施工することができる。
【０００７】
【発明の実施の形態】
以下に、本発明に係るＰＣ（プレキャストコンクリート）パネルを用いた建物の非耐力壁の施工方法の実施の各形態例を図１から図１３に基づいて説明する。
＜第１の実施の形態例＞
先ず、図１は本発明を適用した第１の実施の形態例として建物がＳＲＣ造であって雑壁を施工する場合を示すもので、鉄骨骨組の建て方を示した図、図２は続く柱、梁、壁配筋を示したもの、図３は続く建物躯体へのＰＣ壁パネルの吊り込みを示したもの、図４は続く型枠組、コンクリート打設を示したものであり、各図において、（ａ）は正面図、（ｂ）は平面図、（ｃ）は断面図である。
【０００８】
この実施の形態例では、先ず、壁用プレキャストコンクリートパネル（以下、ＰＣ壁パネル）を製作し、このＰＣ壁パネルについては後述する。また、第１工程で建物の鉄骨骨組の建て方を行う。
即ち、図１に示すように、床スラブ２上において、２本の鉄骨柱４，４に鉄骨大梁６，６，６を先組みした鉄骨ユニット７を建て込む。なお、この建物ユニット７の建て方後、戸境方向仮設梁鉄骨８及び歪み直しワイヤ１０，１０，１０，・・・を使用する。
次の第２工程で柱、梁、壁配筋を行う。
即ち、図２に示すように、鉄骨大梁６を梁鉄筋１２で囲み、鉄骨柱４を柱鉄筋１４で囲み、戸境の梁を含んで壁鉄筋１６を組む。
【０００９】
次の第３工程で躯体へのＰＣ壁パネルの吊り込みを行う。
即ち、図３に示すように、ＰＣ壁パネル１８を吊り込んで床スラブ２と鉄骨大梁６（梁鉄筋１２）の間に仮置きする。なお、こうして仮置きしたＰＣ壁パネル１８の倒れ防止ために斜めサポート２０を使用する。
ＰＣ壁パネル１６の上端面で厚さ方向の中間部からは、ＰＣ壁パネル１８の幅方向に間隔をおき幅方向の全長にわたってアンカー筋１８ａ，１８ａ，１８ａ，・・・が多数突出しており、このアンカー筋１８は上端がＰＣ壁パネル１６の厚さ方向に屈曲した逆Ｌ形縦筋から構成されている。
従って、ＰＣ壁パネル１８を製作する際には、建物躯体に建て込まれたときに上辺をなす一辺から、建物躯体に建て込まれたときに上方となる方向へ、複数のアンカー筋が突出した壁用プレキャストコンクリートパネルとして製作しておく。
そして、以上のＰＣ壁パネル１８の上端面に並んで突出する多数のアンカー筋１８ａ，１８ａ，１８ａ，・・・を、コンクリートを打設する前の建物躯体の骨組の鉄骨大梁６及びその梁鉄筋１２に溶接により結合することにより、ＰＣ壁パネル１８の上辺を建物躯体の骨組に定着する一方で、ＰＣ壁パネル１８の上辺以外の他辺は建物躯体の骨組に定着することなく、ＰＣ壁パネル１８を建物躯体の骨組に組み付ける。
【００１０】
次の第４工程で型枠組、コンクリート打設を行う。
即ち、図４に示すように、前述した配筋部分を柱型枠２２、梁型枠２４及び壁型枠２６で各々囲んでから、その各型枠２２，２４，２６内にコンクリート２８を打設する。これによりアンカー筋１８ａ，１８ａ，１８ａとＰＣ壁パネル１８の上端はコンクリートに埋設される。
その後、打設コンクリート２８の固化養生後、各型枠２２，２４，２６を型ばらしする。
【００１１】
以上の通り、一辺から複数のアンカー筋１８ａが突出したＰＣ壁パネル１８を工場またはサイトで製作するので、従来のような耐震スリット付きのＲＣ壁やファスナー固定の後付けＰＣ壁による雑壁の施工に比べて、製作コストを削減できるとともに、建物躯体への取り付けも簡易なので、短時間で施工できる。
【００１２】
＜第２の実施の形態例＞
図５は本発明を適用した第２の実施の形態例として建物がＲＣ造であってメーターボックスの壁を施工する場合を示すもので、建物躯体へのＰＣ壁パネルの配置を示した横断平面図であり、図６はその矢印Ａ−Ａに沿った断面図、図７は同じく矢印Ｂ部の拡大図である。また、図８はメーターボックスの壁の組付状態を示した正面図で、図９はその矢印Ｃ−Ｃ線に沿った断面図、図１０は背面図である。
この実施の形態例では、ＲＣによる壁５２と下階床スラブ５４及び上階床スラブ５６とで囲まれた空間にメーターボックスを施工する。
即ち、壁５２の凹部５２ａ，５２ａに沿って右ＰＣ壁パネル６２及び左ＰＣ壁パネル６４が配置されている。
そして、これら左右のＰＣ壁パネル６２，６４の前面上部間に中央ＰＣ壁パネル６６が配置されている。
【００１３】
右ＰＣ壁パネル６２は、縦に細長いもので、図１１に示すように、この右ＰＣ壁パネル６２の上端面で厚さ方向の中間部からは、この右ＰＣ壁パネル６２の幅方向に間隔をおき幅方向の全長にわたって複数のアンカー筋６２ａ，６２ａ，６２ａ，・・・が突出しており、それらアンカー筋６２ａの間に一対の吊り上げ用フック金具６２ｂ，６２ｂが突出されている。この一対の吊り上げ用フック金具６２ｂ，６２ｂを利用して右ＰＣ壁パネル６２が吊り込まれる。
従って、右ＰＣ壁パネル６２を製作する際には、建物躯体に建て込まれたときに上辺をなす一辺から、建物躯体に建て込まれたときに上方となる方向へ、複数のアンカー筋が突出した壁用プレキャストコンクリートパネルとして製作しておく。
このような右ＰＣ壁パネル６２は、図６、図８及び図１０に示すように、アンカー筋６２ａ，６２ａ，６２ａ，・・・の上部が逆Ｌ形に曲げられ、この逆Ｌ形に曲げられたアンカー筋６２ａ，６２ａ，６２ａ，・・・が、コンクリートを打設する前の建物躯体の骨組の上階床スラブ５６の鉄骨や鉄筋に結合され、これによって右ＰＣ壁パネル６２の上辺が建物躯体の骨組に定着される一方で、右ＰＣ壁パネル６２の上辺以外の他辺は建物躯体の骨組に定着されることなく、右ＰＣ壁パネル６２が建物躯体の骨組に組み付けられる。その後、コンクリートが打設されることでアンカー筋６２ａ，６２ａ，６２ａ，・・・および吊り上げ用フック金具６２ｂ，６２ｂが右ＰＣ壁パネル６２の上辺と共に上階床スラブ５６に埋設される。なお、右ＰＣ壁パネル６２の下辺は下階床スラブ５２上に近接している。
【００１４】
左ＰＣ壁パネル６４も、縦に細長いもので、図１２に示すように、この左ＰＣ壁パネル６４の上端面で厚さ方向の中間部からは、この左ＰＣ壁パネル６４の幅方向に間隔をおき幅方向の全長にわたって複数のアンカー筋６４ａ，６４ａ，６４ａ，・・・が突出しており、それらアンカー筋６４ａの間に一対の吊り上げ用フック金具６４ｂ，６４ｂを備えている。この一対の吊り上げ用フック金具６４ｂ，６４ｂを利用して左ＰＣ壁パネル６４が吊り込まれる。
従って、左ＰＣ壁パネル６４を製作する際には、建物躯体に建て込まれたときに上辺をなす一辺から、建物躯体に建て込まれたときに上方となる方向へ、複数のアンカー筋が突出した壁用プレキャストコンクリートパネルとして製作しておく。
このような左ＰＣ壁パネル６４も、図８から図１０に示すように、アンカー筋６４ａ，６４ａ，６４ａ，・・・の上部が逆Ｌ形に曲げられ、この逆Ｌ形に曲げられたアンカー筋６４ａ，６４ａ，６４ａ，・・・が、コンクリートを打設する前の建物躯体の骨組の上階床スラブ５６の鉄骨や鉄筋に結合され、これによって左ＰＣ壁パネル６４の上辺が建物躯体の骨組に定着される一方で、左ＰＣ壁パネル６４の上辺以外の他辺は建物躯体の骨組に定着されることなく、左ＰＣ壁パネル６４が建物躯体の骨組に組み付けられる。その後、コンクリートが打設されることでアンカー筋６４ａ，６４ａ，６４ａ，・・・および吊り上げ用フック金具６４ｂ，６４ｂが左ＰＣ壁パネル６４の上辺と共に上階床スラブ５６に埋設される。なお、左ＰＣ壁パネル６４の下辺は下階床スラブ５２上に近接している。
【００１５】
中央ＰＣ壁パネル６６は、横に細長いもので、図１３に示すように、この中央ＰＣ壁パネル６６の上端面で厚さ方向の中間部からは、この中央ＰＣ壁パネル６６の幅方向に間隔をおき幅方向の全長にわたって複数のアンカー筋６６ａ，６６ａ，６６ａ，・・・が突出しており、それらアンカー筋６６ａの間に一対の吊り上げ用フック金具６６ｂ，６６ｂを備えている。この一対の吊り上げ用フック金具６６ｂ，６６ｂを利用して中央ＰＣ壁パネル６６が吊り込まれる。
従って、中央ＰＣ壁パネル６６を製作する際には、建物躯体に建て込まれたときに上辺をなす一辺から、建物躯体に建て込まれたときに上方となる方向へ、複数のアンカー筋が突出した壁用プレキャストコンクリートパネルとして製作しておく。
このような中央ＰＣ壁パネル６６は、図６及び図８から図１０に示すように、アンカー筋６６ａ，６６ａ，６６ａ，・・・の上部が逆Ｌ形に曲げられ、この逆Ｌ形に曲げられたアンカー筋６６ａ，６６ａ，６６ａ，・・・が、コンクリートを打設する前の建物躯体の骨組の上階床スラブ５６の鉄骨や鉄筋に結合され、これによって中央ＰＣ壁パネル６６の上辺が建物躯体の骨組に定着される一方で、中央ＰＣ壁パネル６６の上辺以外の他辺は建物躯体の骨組に定着されることなく、中央ＰＣ壁パネル６６が建物躯体の骨組に組み付けられる。その後、コンクリートが打設されることでアンカー筋６６ａ，６６ａ，６６ａ，・・・および吊り上げ用フック金具６６ｂ，６６ｂが中央ＰＣ壁パネル６６の上辺と共に上階床スラブ５６に埋設される。なお、中央ＰＣ壁パネル６６下方にはメーターボックスの開口部が形成される。
【００１６】
そして、この中央ＰＣ壁パネル６６の前面下端部に沿って、図８及び図９に示したように、取付アングル材６８を当て、この取付アングル材６８を、中央ＰＣ壁パネル６６とその左右のＰＣ壁パネル６２，６４にそれぞれボルト（アンカーボルト）・ナット結合して固定する。
その後、中央ＰＣ壁パネル６６の下端部とその左右のＰＣ壁パネル６２，６４とにより形成されるメーターボックス開口部に、図示しないサッシを溶接により固定して、そのサッシ内に図示しないスチールドアを取り付けた後、各隙間がモルタルにより閉塞される。
【００１７】
なお、以上の実施の各形態例においては、施工する非耐力壁は雑壁やメーターボックスの壁であったが、本発明はこれらに限定されるものではなく、他の非耐力壁であっても良い。
さらに、ＰＣパネルとしては、鉄筋入りも含まれるものであり、その他、具体的な細部構造等についても適宜に変更可能であることは勿論である。
【００１８】
【発明の効果】
以上の説明で明らかなように本発明に係るプレキャストコンクリートパネルを用いた建物の非耐力壁の施工方法では、建物躯体に建て込まれたときに上辺をなす一辺から、前記建物躯体に建て込まれたときに上方となる方向へ、複数のアンカー筋が突出した壁用プレキャストコンクリートパネルを製作し、前記建物躯体の骨組の建て方を行い、前記壁用プレキャストコンクリートパネルの前記複数のアンカー筋を、コンクリートを打設する前の前記建物躯体の骨組に結合することにより、前記壁用プレキャストコンクリートパネルの上辺を前記建物躯体の骨組に定着する一方で、前記壁用プレキャストコンクリートパネルの上辺以外の他辺は前記建物躯体の骨組に定着することなく、前記壁用プレキャストコンクリートパネルを前記建物躯体の骨組に組み付け、しかる後に、前記建物躯体の骨組にコンクリートを打設するようにした。
従って、壁用プレキャストコンクリートパネルの上辺から上方へ突出した複数のアンカー筋を、コンクリートを打設する前のＲＣ造（またはＳＲＣ造）建物躯体の骨組に結合することによって、壁用プレキャストコンクリートパネルの上辺のみを骨組に定着し、しかる後に骨組にコンクリートを打設するため、建物躯体工事時において、雑壁などの非耐力壁を、プレキャストコンクリートパネルを用いて簡易に施工することができる。
【図面の簡単な説明】
【図１】  本発明を適用した第１の実施の形態例として建物がＳＲＣであって雑壁を施工する場合を示すもので、鉄骨骨組の建て方を示した図であり、（ａ）は正面図、（ｂ）は平面図、（ｃ）は断面図である。
【図２】  図１に続く柱、梁、壁配筋を示したもので、（ａ）は正面図、（ｂ）は平面図、（ｃ）は断面図である。
【図３】  図２に続く躯体へのＰＣ壁パネルの吊り込みを示したもので、（ａ）は正面図、（ｂ）は平面図、（ｃ）は断面図である。
【図４】  図３に続く型枠組、コンクリート打設を示したもので、（ａ）は正面図、（ｂ）は平面図、（ｃ）は断面図である。
【図５】  本発明を適用した第２の実施の形態例として建物がＲＣ造であってメーターボックスの壁を施工する場合を示すもので、建物躯体へのＰＣ壁パネルの配置を示した横断平面図である。
【図６】  図５の矢印Ａ−Ａに沿った断面図である。
【図７】  図５の矢印Ｂ部の拡大図である。
【図８】  図５のメーターボックスの壁の組付状態を示した正面図である。
【図９】  図８の矢印Ｃ−Ｃ線に沿った断面図である。
【図１０】  図８の組付状態の背面図である。
【図１１】  図５のメーターボックスにおける右側ＰＣ壁パネルを示したもので、（ａ）は正面図、（ｂ）は平面図である。
【図１２】  図５のメーターボックスにおける左側ＰＣ壁パネルを示したもので、（ａ）は正面図、（ｂ）は平面図である。
【図１３】  図５のメーターボックスにおける中央ＰＣ壁パネルを示したもので、（ａ）は正面図、（ｂ）は平面図である。
【符号の説明】
２  床スラブ
４  鉄骨柱
６  鉄骨大梁
１２  梁鉄筋
１４  柱鉄筋
１６  壁鉄筋
１８  ＰＣ壁パネル
１８ａ、６２ａ、６４ａ、６６ａ  アンカー筋
２８  コンクリート
５２  壁
５４  下階床スラブ
５６  上階床スラブ
６２  右ＰＣ壁パネル
６４  左ＰＣ壁パネル
６６  中央ＰＣ壁パネル
【図１】
0003948544.tif 000002
【図２】
0003948544.tif 000003
【図３】
0003948544.tif 000004
【図４】
0003948544.tif 000005
【図５】
0003948544.tif 000006
【図６】
0003948544.tif 000007
【図７】
0003948544.tif 000008
【図８】
0003948544.tif 000009
【図９】
0003948544.tif 000010
【図１０】
0003948544.tif 000011
【図１１】
0003948544.tif 000012
【図１２】
0003948544.tif 000013
【図１３】
0003948544.tif 000014